(57)【特許請求の範囲】
【請求項１】
互いに異種である複数のネットワークに接続可能な移動通信端末と、前記移動通信端末を識別するための加入者識別情報と前記移動通信端末に提供するサービスの内容とを対応付けた加入者情報をそれぞれ記憶し、２つの系にそれぞれ設けられた加入者情報管理装置と、前記複数のネットワークそれぞれと前記２つの加入者情報管理装置とに接続され、前記移動通信端末から送信された前記加入者情報の更新を要求する更新要求信号に含まれる加入者識別情報に基づいて該更新要求信号を前記２つの加入者情報管理装置のうちの一方へ転送する複数のプロキシノードとを有してなる情報通信システムにおいて、
前記加入者情報管理装置は、前記加入者情報の更新可能な加入者情報管理装置が前記２つ系にそれぞれ設けられた加入者情報管理装置のどちらであるかを示す系情報と前記加入者識別情報とを対応付けて記憶し、前記移動通信端末から前記更新要求信号が送信されてきた際、該移動通信端末の加入者識別情報に対応付けられて記憶されている前記系情報が当該加入者情報管理装置の系を示す場合、前記加入者情報を更新することを特徴とする情報通信システム。
【請求項２】
請求項１に記載の情報通信システムにおいて、
前記加入者情報管理装置は、
前記加入者情報を記憶する加入者情報記憶部と、
前記系情報と前記加入者識別情報とを対応付けて記憶する更新系情報記憶部と、
前記移動通信端末から前記更新要求信号が送信されてきた際、該移動通信端末の加入者識別情報と対応付けられて前記更新系情報記憶部に記憶されている前記系情報が当該加入者情報管理装置の系を示す場合、前記加入者情報記憶部に記憶されている加入者情報を更新する情報管理部とを有することを特徴とする情報通信システム。
【請求項３】
請求項２に記載の情報通信システムにおいて、
前記情報管理部は、前記移動通信端末から前記更新要求信号が送信されてきた際、該移動通信端末の加入者識別情報と対応付けられて前記更新系情報記憶部に記憶されている前記系情報が当該加入者情報管理装置の系を示すものではない場合、前記加入者情報記憶部に記憶されている加入者情報を更新することができない旨を示す信号を前記更新要求信号を転送したプロキシノードへ送信することを特徴とする情報通信システム。
【請求項４】
請求項２または請求項３に記載の情報通信システムにおいて、
前記情報管理部は、前記系情報が示す系の切り替えが外部から指示された場合、前記更新系情報記憶部に記憶されている系情報の系を切り替え、該切り替えた系情報と対応付けられて当該加入者情報管理装置の更新系情報記憶部に記憶されている加入者識別情報を当該加入者情報管理装置以外の加入者情報管理装置へ送信し、当該加入者情報管理装置以外の加入者情報管理装置から前記加入者識別情報が送信されてきた場合、該送信されてきた加入者識別情報と対応付けられて当該加入者情報管理装置の更新系情報記憶部に記憶されている系情報が示す系を切り替えることを特徴とする情報通信システム。
【請求項５】
請求項２乃至４のいずれか１項に記載の情報通信システムにおいて、
前記情報管理部は、当該加入者情報管理装置にて閉塞の必要性を検出した場合、当該加入者情報管理装置以外の加入者情報管理装置と前記プロキシノードとへ当該加入者情報管理装置の閉塞を通知し、当該加入者情報管理装置以外の加入者情報管理装置から当該加入者情報管理装置以外の加入者情報管理装置の閉塞が通知された場合、当該加入者情報管理装置の更新系情報記憶部に記憶されている系情報が示すすべての系を当該加入者情報管理装置の系を示すものへ切り替えることを特徴とする情報通信システム。
【請求項６】
請求項５に記載の情報通信システムにおいて、
前記情報管理部は、外部から閉塞解除を指示された場合、当該加入者情報管理装置以外の加入者情報管理装置と前記プロキシノードとへ、当該加入者情報管理装置の閉塞解除を通知し、当該加入者情報管理装置以外の加入者情報管理装置から当該加入者情報管理装置以外の加入者情報管理装置の閉塞解除が通知された場合、当該加入者情報管理装置の更新系情報記憶部に記憶されている系情報を初期値へ切り戻すことを特徴とする情報通信システム。
【請求項７】
請求項２に記載の情報通信システムにおいて、
前記更新系情報記憶部は、前記加入者識別情報を複数の番号帯にグループ分けし、該番号帯と前記系情報とを対応付けて記憶し、
前記情報管理部は、前記移動通信端末から前記更新要求信号が送信されてきた際、該移動通信端末の加入者識別情報が割り当てられた前記番号帯と対応付けられて前記更新系情報記憶部に記憶されている前記系情報が当該加入者情報管理装置の系を示す場合、前記加入者情報記憶部に記憶されている加入者情報を更新することを特徴とする情報通信システム。
【請求項８】
請求項７に記載の情報通信システムにおいて、
前記情報管理部は、前記移動通信端末から前記更新要求信号が送信されてきた際、該移動通信端末の加入者識別情報が割り当てられた前記番号帯と対応付けられて前記更新系情報記憶部に記憶されている前記系情報が当該加入者情報管理装置の系を示すものではない場合、前記加入者情報記憶部に記憶されている加入者情報を更新することができない旨を示す信号を前記更新要求信号を転送したプロキシノードへ送信することを特徴とする情報通信システム。
【請求項９】
移動通信端末を識別するための加入者識別情報と前記移動通信端末に提供するサービスの内容とを対応付けた加入者情報を記憶する加入者情報管理装置であって、
前記加入者情報の更新可能な加入者情報管理装置が当該加入者情報管理装置と、当該加入者情報管理装置と接続された加入者情報管理装置とのどちらであるかを示す系情報と前記加入者識別情報とを対応付けて記憶する更新系情報記憶部と、
前記移動通信端末から前記加入者情報の更新を要求する更新要求信号が送信されてきた際、該移動通信端末の加入者識別情報と対応付けられて前記更新系情報記憶部に記憶されている前記系情報が当該加入者情報管理装置の系を示す場合、前記記憶されている加入者情報を更新する情報管理部とを有する加入者情報管理装置。
【請求項１０】
請求項９に記載の加入者情報管理装置において、
前記情報管理部は、前記移動通信端末から前記更新要求信号が送信されてきた際、該移動通信端末の加入者識別情報と対応付けられて前記更新系情報記憶部に記憶されている前記系情報が当該加入者情報管理装置の系を示すものではない場合、前記記憶されている加入者情報を更新することができない旨を示す信号を、前記移動通信端末から送信された前記更新要求信号を転送したプロキシノードへ送信することを特徴とする加入者情報管理装置。
【請求項１１】
請求項９に記載の加入者情報管理装置において、
前記更新系情報記憶部は、前記加入者識別情報を複数の番号帯にグループ分けし、該番号帯と前記系情報とを対応付けて記憶し、
前記情報管理部は、前記移動通信端末から前記更新要求信号が送信されてきた際、該移動通信端末の加入者識別情報が割り当てられた前記番号帯と対応付けられて前記更新系情報記憶部に記憶されている前記系情報が当該加入者情報管理装置の系を示す場合、前記記憶されている加入者情報を更新することを特徴とする加入者情報管理装置。
【請求項１２】
請求項１１に記載の加入者情報管理装置において、
前記情報管理部は、前記移動通信端末から前記更新要求信号が送信されてきた際、該移動通信端末の加入者識別情報が割り当てられた前記番号帯と対応付けられて前記更新系情報記憶部に記憶されている前記系情報が当該加入者情報管理装置の系を示すものではない場合、前記記憶されている加入者情報を更新することができない旨を示す信号を前記更新要求信号を転送したプロキシノードへ送信することを特徴とする加入者情報管理装置。
【請求項１３】
移動通信端末を識別するための加入者識別情報と前記移動通信端末に提供するサービスの内容とを対応付けた加入者情報を記憶する加入者情報管理装置における加入者情報管理方法であって、
前記加入者情報の更新可能な加入者情報管理装置が当該加入者情報管理装置と、当該加入者情報管理装置と接続された加入者情報管理装置とのどちらであるかを示す系情報と前記加入者識別情報とを対応付けて記憶する処理と、
前記移動通信端末から前記加入者情報の更新を要求する更新要求信号が送信されてきた際、該移動通信端末の加入者識別情報と対応付けられて記憶されている前記系情報が当該加入者情報管理装置の系を示す場合、前記記憶されている加入者情報を更新する処理とを有する加入者情報管理方法。
【請求項１４】
請求項１３に記載の加入者情報管理方法において、
前記移動通信端末から前記更新要求信号が送信されてきた際、該移動通信端末の加入者識別情報と対応付けられて記憶されている前記系情報が当該加入者情報管理装置の系を示すものではない場合、前記記憶されている加入者情報を更新することができない旨を示す信号を、前記移動通信端末から送信された前記更新要求信号を転送したプロキシノードへ送信する処理を有することを特徴とする加入者情報管理方法。
【請求項１５】
移動通信端末を識別するための加入者識別情報と前記移動通信端末に提供するサービスの内容とを対応付けた加入者情報を記憶する加入者情報管理装置に、
前記加入者情報の更新可能な加入者情報管理装置が当該加入者情報管理装置と、当該加入者情報管理装置と接続された加入者情報管理装置とのどちらであるかを示す系情報と前記加入者識別情報とを対応付けて記憶する手順と、
前記移動通信端末から前記加入者情報の更新を要求する更新要求信号が送信されてきた際、該移動通信端末の加入者識別情報と対応付けられて記憶されている前記系情報が当該加入者情報管理装置の系を示す場合、前記記憶されている加入者情報を更新する手順とを実行させるプログラム。
【請求項１６】
請求項１５に記載のプログラムにおいて、
前記移動通信端末から前記更新要求信号が送信されてきた際、該移動通信端末の加入者識別情報と対応付けられて記憶されている前記系情報が当該加入者情報管理装置の系を示すものではない場合、前記記憶されている加入者情報を更新することができない旨を示す信号を、前記移動通信端末から送信された前記更新要求信号を転送したプロキシノードへ送信する手順を前記加入者情報管理装置に実行させることを特徴とするプログラム。
【発明の詳細な説明】
【技術分野】
【０００１】
本発明は、互いに異種である複数のネットワークを介して加入者端末との間で通信を行う情報通信システム、加入者情報管理装置、加入者情報管理方法及びプログラムに関する。
【背景技術】
【０００２】
近年、加入者端末との間で、例えば回線交換網とＩＰ網とのように、互いに異種である複数のネットワークを介して通信を行う情報通信システムが考えられている（例えば、非特許文献１参照。）。このようなシステムにおいては、回線交換網とＩＰ網との間で、双方のネットワークにおいて使用できる加入者端末に在圏変更が発生した場合、接続されるネットワークに変更が発生する。
【０００３】
図８および図９は、加入者端末が回線交換網とＩＰ網とを介して通信を行う情報通信システムの一例を示す図である。なお、図８および図９に示した情報通信システムは、Ｍａｔｅｄ  Ｐａｉｒ方式による冗長管理を行うものである。
【０００４】
このＭａｔｅｄ  Ｐａｉｒ方式とは、管理サーバや通信装置を二重化した冗長構成とすることにより、一方の系に障害が発生した場合に、一方の系にて提供されていたサービスをメイト系である他方の系（他系）にて提供する方式である。
【０００５】
図８および図９に示した情報通信システムには、ＨＳＳ１００２−１，１００２−２と、ＳＬＦ１００３−１，１００３−２と、ＳＴＰ１００４−１，１００４−２とが設けられている。また、加入者端末１００１が、ＳＬＦ１００３−１，１００３−２またはＳＴＰ１００４−１，１００４−２と通信を行っている。
【０００６】
ＨＳＳ１００２−１，１００２−２は、ＳＬＦ１００３−１，１００３−２またはＳＴＰ１００４−１，１００４−２と接続された加入者端末１００１を識別するための加入者識別情報と加入者端末１００１へ提供するサービスの内容との加入者情報を記憶し、加入者端末１００１に該当するサービスを提供する加入者管理サーバである。
【０００７】
ＳＬＦ１００３−１，１００３−２は、加入者端末１００１がＩＰ網に存在する場合、加入者端末１００１から送信されてきた加入者端末１００１に固有に付与された加入者識別情報に基づいて、加入者端末１００１がアクセス（接続）するＨＳＳ１００２−１，１００２−２を特定する。また、加入者端末１００１から送信されてきた、加入者端末１００１の情報を更新するための情報が含まれるＤｉａｍｅｔｅｒ信号を、特定したＨＳＳ１００２−１，１００２−２へ送信する。
【０００８】
ＳＴＰ１００４−１，１００４−２は、加入者端末１００１が回線交換網に存在する場合、加入者端末１００１から送信されてきた加入者識別情報に基づいて、加入者端末１００１がアクセス（接続）するＨＳＳ１００２−１，１００２−２を特定する。また、加入者端末１００１から送信されてきた、加入者端末１００１の情報を更新するための情報が含まれるＭＡＰ信号を、特定したＨＳＳ１００２−１，１００２−２へ送信する。
【０００９】
このようなシステムにおいては、１加入者から、回線交換網とＩＰ網との双方からＨＳＳ１００２−１，１００２−２に登録された情報の更新が要求される。
【００１０】
また、Ｍａｔｅｄ  Ｐａｉｒ方式のように、稼働系装置と待機系装置との二重化構成を有するシステムにおいて、稼働系装置の記憶装置に記憶されているデータを待機系装置の記憶装置に転送することにより、互いにデータの同期を取る技術が考えられている（例えば、特許文献１参照。）。
【非特許文献１】３ＧＰＰ  ＴＳ  ２３．００２  Ｖ６．１０．０（２００５−１２）
【特許文献１】特開２００５−３２７０１５号公報
【発明の開示】
【発明が解決しようとする課題】
【００１１】
ここで、加入者端末１００１が回線交換網に存在したときに加入者端末１００１から送信されたＭＡＰ信号に基づいて情報更新を行うＨＳＳと、加入者端末１００１がＩＰ網に存在したときに加入者端末１００１から送信されたＤｉａｍｅｔｅｒ信号に基づいて情報更新を行うＨＳＳとが、同一である場合と異なる場合とが考えられる。つまり、ＳＴＰ１００４−１，１００４−２とＳＬＦ１００３−１，１００３−２とが、必ずしも互いにリンクしているものではないため、ＳＴＰ１００４−１，１００４−２が特定するＨＳＳと、ＳＬＦ１００３−１，１００３−２が特定するＨＳＳとが、同一である場合と異なる場合とが考えられる。
【００１２】
図８に示すように、ＭＡＰ信号およびＤｉａｍｅｔｅｒ信号による情報更新を行うＨＳＳが、同一（ＨＳＳ１００２−１）である場合は、加入者端末１００１が回線交換網にて情報更新を行った後、加入者端末１００１の在圏変更により、加入者端末１００１がＩＰ網に移動してＩＰ網にて情報更新を行っても、同じＨＳＳ１００２−１内に登録されている情報を更新するため、問題は生じない。
【００１３】
しかしながら、図９に示すように、ＭＡＰ信号およびＤｉａｍｅｔｅｒ信号による情報更新を行うＨＳＳが、それぞれ異なる（ＨＳＳ１００２−１およびＨＳＳ１００２−２）場合は、加入者端末１００１が回線交換網にて情報更新を行った後、加入者端末１００１の在圏変更により、加入者端末１００１がＩＰ網に移動してＩＰ網にて情報更新を行うと、異なるＨＳＳ１００２−１，１００２−２内に登録されている情報をそれぞれ更新するため、ＨＳＳ１００２−１とＨＳＳ１００２−２との間で、登録されている情報に差分が生じてしまうおそれがある。
【００１４】
この差分が生じることを防ぐために、ＨＳＳ１００２−１とＨＳＳ１００２−２との間で、登録されている情報に差分が生じないように、同期処理が行われている。
【００１５】
図１０は、図８および図９に示したＨＳＳ１００２−１とＨＳＳ１００２−２との間における同期処理の一例を示す図である。
【００１６】
図１０に示すように、ＨＳＳ１００２−１とＨＳＳ１００２−２との間において、一定の周期（周期Ｔ）で互いに登録されている情報のコピー処理が行われる。このとき、どちらのＨＳＳをマスターにするかについては、任意であり、加入者端末ごとに設定されているものであっても良い。
【００１７】
加入者端末１００１からＭＡＰ信号を用いて情報更新の要求がＨＳＳ１００２−１へあった場合、ＨＳＳ１００２−１にて登録情報の更新（変更）が行われる（ステップＳ１０１）。この状態では、ＨＳＳ１００２−１とＨＳＳ１００２−２との間において、登録情報に差分が生じている。
【００１８】
その後、コピー処理によって、ＨＳＳ１００２−１とＨＳＳ１００２−２との間において、登録情報が同じものとなる。このコピー処理後に、加入者端末１００１の在圏変更により加入者端末１００１からＤｉａｍｅｔｅｒ信号を用いて情報更新の要求がＨＳＳ１００２−２へあった場合、ＨＳＳ１００２−２にて登録情報の更新が行われる（ステップＳ１０２）。このとき、ＨＳＳ１００２−２に登録されている情報は、直前のコピー処理によって最新のものとなっているため、問題は生じない。
【００１９】
図１１は、図８および図９に示したＨＳＳ１００２−１とＨＳＳ１００２−２との間における同期処理の他の例を示す図である。
【００２０】
図１１に示すように、図１０に示したものと同様に、ＨＳＳ１００２−１とＨＳＳ１００２−２との間において、一定の周期（周期Ｔ）で互いに登録されている情報のコピー処理が行われる。このとき、どちらのＨＳＳをマスターにするかについては、任意であり、加入者端末ごとに設定されているものであっても良い。
【００２１】
加入者端末１００１からＭＡＰ信号を用いて情報更新の要求がＨＳＳ１００２−１へあった場合、ＨＳＳ１００２−１にて登録情報の更新が行われる（ステップＳ１１１）。この状態では、ＨＳＳ１００２−１とＨＳＳ１００２−２との間において、登録情報に差分が生じている。
【００２２】
その後、コピー処理が行われる前に、加入者端末１００１の在圏変更により加入者端末１００１からＤｉａｍｅｔｅｒ信号を用いて情報更新の要求がＨＳＳ１００２−２へあった場合、ＨＳＳ１００２−２にて登録情報の更新が行われる（ステップＳ１１２）。このとき、コピー処理が行われてないため、ＨＳＳ１００２−１とＨＳＳ１００２−２との間において、登録情報に差分が生じている。つまり、ＨＳＳ１００２−２に登録されている情報は、最新のものではない。そのため、ステップＳ１１２の登録情報の更新後、ＨＳＳ１００２−１とＨＳＳ１００２−２との間でコピー処理が行われると、ステップＳ１１１において行われた更新と、ステップＳ１１２において行われた更新との、少なくとも一方の更新が反映されないという問題点がある。つまり、登録された加入者情報を正確に更新するためには、１加入者に対しては、同じ系にて加入者情報を更新する必要がある。
【００２３】
本発明は、上述した課題を解決する情報通信システム、加入者情報管理装置、加入者情報管理方法及びプログラムを提供することを目的とする。
【課題を解決するための手段】
【００２４】
上記目的を達成するために本発明は、
互いに異種である複数のネットワークに接続可能な移動通信端末と、前記移動通信端末を識別するための加入者識別情報と前記移動通信端末に提供するサービスの内容とを対応付けた加入者情報をそれぞれ記憶し、２つの系にそれぞれ設けられた加入者情報管理装置と、前記複数のネットワークそれぞれと前記２つの加入者情報管理装置とに接続され、前記移動通信端末から送信された前記加入者情報の更新を要求する更新要求信号に含まれる加入者識別情報に基づいて該更新要求信号を前記２つの加入者情報管理装置のうちの一方へ転送する複数のプロキシノードとを有してなる情報通信システムにおいて、
前記加入者情報管理装置は、前記加入者情報の更新可能な加入者情報管理装置が前記２つ系にそれぞれ設けられた加入者情報管理装置のどちらであるかを示す系情報と前記加入者識別情報とを対応付けて記憶し、前記移動通信端末から前記更新要求信号が送信されてきた際、該移動通信端末の加入者識別情報に対応付けられて記憶されている前記系情報が当該加入者情報管理装置の系を示す場合、前記加入者情報を更新することを特徴とする。
【００２５】
また、移動通信端末を識別するための加入者識別情報と前記移動通信端末に提供するサービスの内容とを対応付けた加入者情報を記憶する加入者情報管理装置であって、
前記加入者情報の更新可能な加入者情報管理装置が当該加入者情報管理装置と、当該加入者情報管理装置と接続された加入者情報管理装置とのどちらであるかを示す系情報と前記加入者識別情報とを対応付けて記憶する更新系情報記憶部と、
前記移動通信端末から前記加入者情報の更新を要求する更新要求信号が送信されてきた際、該移動通信端末の加入者識別情報と対応付けられて前記更新系情報記憶部に記憶されている前記系情報が当該加入者情報管理装置の系を示す場合、前記記憶されている加入者情報を更新する情報管理部とを有する。
【００２６】
また、移動通信端末を識別するための加入者識別情報と前記移動通信端末に提供するサービスの内容とを対応付けた加入者情報を記憶する加入者情報管理装置における加入者情報管理方法であって、
前記加入者情報の更新可能な加入者情報管理装置が当該加入者情報管理装置と、当該加入者情報管理装置と接続された加入者情報管理装置とのどちらであるかを示す系情報と前記加入者識別情報とを対応付けて記憶する処理と、
前記移動通信端末から前記加入者情報の更新を要求する更新要求信号が送信されてきた際、該移動通信端末の加入者識別情報と対応付けられて記憶されている前記系情報が当該加入者情報管理装置の系を示す場合、前記記憶されている加入者情報を更新する処理とを有する。
【００２７】
また、移動通信端末を識別するための加入者識別情報と前記移動通信端末に提供するサービスの内容とを対応付けた加入者情報を記憶する加入者情報管理装置に実行させるプログラムであって、
前記加入者情報の更新可能な加入者情報管理装置が当該加入者情報管理装置と、当該加入者情報管理装置と接続された加入者情報管理装置とのどちらであるかを示す系情報と前記加入者識別情報とを対応付けて記憶する手順と、
前記移動通信端末から前記加入者情報の更新を要求する更新要求信号が送信されてきた際、該移動通信端末の加入者識別情報と対応付けられて記憶されている前記系情報が当該加入者情報管理装置の系を示す場合、前記記憶されている加入者情報を更新する手順とを実行させる。
【発明の効果】
【００２８】
以上説明したように本発明においては、互いに異種である複数のネットワークに接続可能な移動通信端末を識別するための加入者識別情報と移動通信端末に提供するサービスの内容とを対応付けた加入者情報をそれぞれ記憶し、２つの系にそれぞれ設けられた加入者情報管理装置にて、加入者情報の更新可能な加入者情報管理装置が２つ系にそれぞれ設けられた加入者情報管理装置のどちらであるかを示す系情報と加入者識別情報とを対応付けて記憶し、移動通信端末から加入者情報の更新を要求する更新要求信号が送信されてきた際、移動通信端末の加入者識別情報に対応付けられて記憶されている系情報が当該加入者情報管理装置の系を示す場合、加入者情報を更新する構成としたため、加入者情報を正確に更新することができる。
【発明を実施するための最良の形態】
【００２９】
以下に、本発明の実施の形態について図面を参照して説明する。
【００３０】
図１は、本発明の情報通信システムの実施の一形態を示す図である。
【００３１】
本形態は図１に示すように、ＨＳＳ１０２−１，１０２−２と、ＳＬＦ１０３−１，１０３−２と、ＳＴＰ１０４−１，１０４−２とが設けられている。また、加入者端末１０１が、ＳＬＦ１０３−１，１０３−２またはＳＴＰ１０４−１，１０４−２と通信を行っている。
【００３２】
加入者端末１０１は、ＩＰ網と回線交換網との双方に接続可能な移動通信端末である。
【００３３】
ＨＳＳ１０２−１，１０２−２は、ＳＬＦ１０３−１，１０３−２またはＳＴＰ１０４−１，１０４−２と接続された加入者端末１０１を識別するための加入者識別情報（認証情報を含む）と加入者端末１０１へ提供するサービス情報との加入者情報を記憶し、加入者端末１０１に該当するサービスを提供する加入者情報管理装置（Ｈｏｍｅ  Ｓｕｂｓｃｒｉｂｅｒ  Ｓｅｒｖｅｒ）である。なお、ＨＳＳ１０２−１，１０２−２には、上述した処理をＩＰ網にて行うＨＳＳ機能と、上述した処理を回線交換網にて行うＨＬＲ（Ｈｏｍｅ  Ｌｏｃａｔｉｏｎ  Ｒｅｇｉｓｔｅｒ）機能とが具備されている。ここで、ＨＳＳ１０２−１とＨＳＳ１０２−２とは、Ｍａｔｅｄ  Ｐａｉｒ方式による冗長構成となっている。ここで、ＨＳＳ１０２−１をＡ系とし、また、ＨＳＳ１０２−２をＢ系とする。
【００３４】
図２は、図１に示したＨＳＳ１０２−１の内部構成の一例を示す図である。
【００３５】
図１に示したＨＳＳ１０２−１には図２に示すように、ＩＰ網インタフェース部２０１と、回線交換網インタフェース部２０２と、保守インタフェース部２０３と、他系インタフェース部２０４と、加入者情報記憶部２０５と、更新系情報記憶部２０６と、情報管理部２０７とが設けられている。
【００３６】
ＩＰ網インタフェース部２０１は、ＩＰ網に接続されたＳＬＦ１０３−１，１０３−２との間にて通信を行う。
【００３７】
回線交換網インタフェース部２０２は、回線交換網に接続されたＳＴＰ１０４−１，１０４−２との間にて通信を行う。
【００３８】
保守インタフェース部２０３は、ＨＳＳ１０２−１の保守を行う保守端末等の保守装置（不図示）との間にて通信を行う。
【００３９】
他系インタフェース部２０４は、他系のＨＳＳであるＨＳＳ１０２−２との間にて通信を行う。
【００４０】
加入者情報記憶部２０５は、加入者端末１０１を識別するための加入者識別情報（認証情報を含む）と加入者端末１０１へ提供するサービス情報との加入者情報を記憶する。
【００４１】
更新系情報記憶部２０６は、加入者情報記憶部２０５に記憶された加入者情報を更新可能な系を示す情報を記憶する。
【００４２】
図３は、図２に示した更新系情報記憶部２０６に記憶された更新系情報の一例を示す図である。
【００４３】
図２に示した更新系情報記憶部２０６には図３に示すように、加入者端末１０１の番号帯を示すＭＩＮ番号帯情報と、当該ＭＩＮ番号帯に該当する加入者端末の加入者情報を更新するＨＳＳ１０２−１，１０２−２の系情報とが対応付けられた更新系情報が記憶されている。
【００４４】
ここで、ＭＩＮ番号帯とは、加入者識別情報を任意のグループに分けるためのものであり、例えば加入者識別情報が「１０００１×××××」である加入者をＭＩＮ番号帯「１０００１」のグループに割り当てるものである。
【００４５】
例えば、ＭＩＮ番号帯「１０００１」と更新系「Ｂ」とが対応付けられて記憶されている。これは、ＭＩＮ番号帯が「１０００１」に属する加入者の情報を更新するＨＳＳは、Ｂ系のＨＳＳ、つまりＨＳＳ１０２−２であることを示している。また、ＭＩＮ番号帯「１０００２」と更新系「Ａ」とが対応付けられて記憶されている。これは、ＭＩＮ番号帯が「１０００２」に属する加入者の情報を更新するＨＳＳは、Ａ系のＨＳＳ、つまりＨＳＳ１０２−１であることを示している。また、ＭＩＮ番号帯「１０００３」と更新系「Ａ」とが対応付けられて記憶されている。これは、ＭＩＮ番号帯が「１０００３」に属する加入者の情報を更新するＨＳＳは、Ａ系のＨＳＳ、つまりＨＳＳ１０２−１であることを示している。
【００４６】
なお、ＭＩＮ番号帯を用いるものでなく、加入者識別情報それぞれと系情報とが対応付けられて記憶されているものであっても良い。
【００４７】
情報管理部２０７は、回線交換網インタフェース部２０２を介してＳＴＰ１０４−１，１０４−２から更新系を切り替える指示を受けた場合、更新系情報記憶部２０６に記憶された更新系情報を更新する。また、他系ＨＳＳであるＨＳＳ１０２−２から更新系の切り替え要求するための更新系切り替え要求信号を受信した場合、当該更新系切り替え要求信号に基づいて、更新系情報記憶部２０６に記憶された更新系情報を更新する。また、保守端末等の保守装置から保守インタフェース部２０３を介して、更新系を切り戻すための切り戻しコマンドを受信した場合、更新系情報記憶部２０６に記憶された更新系情報を切り戻す。また、情報管理部２０７は、更新系情報記憶部２０６に記憶された更新系情報に基づいて、加入者情報記憶部２０５に記憶された加入者情報を更新する。また、必要に応じて、加入者情報記憶部２０５に記憶された加入者情報を読み出し、他系インタフェース部２０４を介して他系ＨＳＳであるＨＳＳ１０２−２へ送信する。
【００４８】
なお、ＨＳＳ１０２−２の内部構成についても、図２に示したＨＳＳ１０２−１の内部構成と同じである。
【００４９】
ＳＬＦ１０３−１，１０３−２は、Ｄｉａｍｅｔｅｒ  Ｐｒｏｘｙ  Ａｇｅｎｔの機能を有し、Ｄｉａｍｅｔｅｒ  Ｃｌｉｅｎｔから送信されたＤｉａｍｅｔｅｒメッセージを、加入者が収容されているＨＳＳ１０２−１，１０２−２へＰｒｏｘｙするためのＩＰプロキシノードである。ＳＬＦ１０３−１，１０３−２は、加入者端末１０１がＩＰ網に存在する場合、加入者端末１０１から送信されてきた加入者端末１０１に固有に付与された加入者識別情報に基づいて、加入者端末１０１がアクセス（接続）するＨＳＳ１０２−１，１０２−２を特定する。また、加入者端末１０１から送信されてきた、加入者端末１０１の情報を更新するための情報が含まれるＤｉａｍｅｔｅｒ信号を、特定したＨＳＳ１０２−１，１０２−２へ送信する。ここで、Ｄｉａｍｅｔｅｒ信号とは、ＩＰ網において、ＨＳＳ１０２−１，１０２−２とＳＬＦ１０３−１，１０３−２との間で加入者情報を操作するための信号である。
【００５０】
ＳＴＰ１０４−１，１０４−２は、回線交換網において加入者端末１０１から送信されたＭＡＰ信号をＨＳＳ１０２−１，１０２−２へＰｒｏｘｙするための回線交換網プロキシノードである。ＳＴＰ１０４−１，１０４−２は、加入者端末１０１が回線交換網に存在する場合、加入者端末１０１から送信されてきた加入者端末１０１に固有に付与された加入者識別情報に基づいて、加入者端末１０１がアクセス（接続）するＨＳＳ１０２−１，１０２−２を特定する。また、加入者端末１０１から送信されてきた、加入者端末１０１の情報を更新するための情報が含まれるＭＡＰ信号を、特定したＨＳＳ１０２−１，１０２−２へ送信する。ここで、ＭＡＰ信号とは、回線交換網において、ＨＳＳ１０２−１，１０２−２とＳＴＰ１０４−１，１０４−２との間で加入者情報を操作するための信号である。
【００５１】
本形態においては、１加入者から、回線交換網とＩＰ網との双方からＨＳＳ１０２−１，１０２−２に登録された情報の更新が要求される。
【００５２】
以下に、本形態における加入者情報管理方法について説明する。
【００５３】
図４は、本形態における加入者情報管理方法を説明するためのフローチャートである。
【００５４】
まず、加入者端末１０１からＳＴＰ１０４−１，１０４−２またはＳＬＦ１０３−１，１０３−２を介してＨＳＳ１０２−１の加入者情報記憶部２０５に登録されている加入者情報の更新を要求するための更新要求信号が回線交換網インタフェース部２０２またはＩＰ網インタフェース部２０１にて受信されると（ステップＳ１）、情報管理部２０７にて当該更新要求信号に含まれる加入者識別情報が抽出される（ステップＳ２）。
【００５５】
ここで、更新要求信号は、加入者端末１０１からＳＴＰ１０４−１，１０４−２を介して送信されてくる場合、ＭＡＰ信号を用いて送信されてくる。また、加入者端末１０１からＳＬＦ１０３−１，１０３−２を介して送信されてくる場合、Ｄｉａｍｅｔｅｒ信号を用いて送信されてくる。
【００５６】
ステップＳ２にて抽出された加入者識別情報が、図３に示した更新系情報のどのＭＩＮ番号帯に属するかが情報管理部２０７にて判断される。そして、判断されたＭＩＮ番号帯に応じた更新系が自系であるかが情報管理部２０７にて判断される（ステップＳ３）。具体的には、ＭＩＮ番号帯に応じた更新系が「Ａ」系である場合、ＨＳＳ１０２−１にとって更新系は自系であると判断される。また、ＭＩＮ番号帯に応じた更新系が「Ｂ」系である場合、ＨＳＳ１０２−１にとって更新系は他系であると判断される。
【００５７】
ステップＳ３にて更新系が自系であると判断された場合、更新要求信号に応じて加入者情報記憶部２０６に登録されている加入者情報が情報管理部２０７によって更新される（ステップＳ４）。
【００５８】
一方、ステップＳ３にて更新系が自系ではない、つまり他系であると判断された場合、当該更新要求信号がＭＡＰ信号を用いて送信されてきたか、それともＤｉａｍｅｔｅｒ信号を用いて送信されてきたかが判断される（ステップＳ５）。これは、更新要求信号の信号形式を認識することによるものであっても良い。また、当該更新要求信号を受信したインタフェース部が、回線交換網インタフェース部２０２である場合は、ＭＡＰ信号を用いて送信されてきたと判断し、また当該更新要求信号を受信したインタフェース部が、ＩＰ網インタフェース部２０１である場合は、Ｄｉａｍｅｔｅｒ信号を用いて送信されてきたと判断するものであっても良い。
【００５９】
当該更新要求信号がＭＡＰ信号を用いて送信されてきたと判断された場合、更新系情報記憶部２０５に記憶されている更新系情報が更新される（ステップＳ６）。具体的には、この場合、当該更新要求信号に含まれる加入者識別情報のＭＩＮ番号帯に応じた更新系が他系である「Ｂ」系と記憶されているため、自系である「Ａ」系に更新される。
【００６０】
続いて、当該ＭＩＮ番号帯に応じた更新系が「Ｂ」系から「Ａ」系に更新された旨を示す更新系切り替え要求信号が情報管理部２０７から他系インタフェース部２０４を介して、他系であるＨＳＳ１０２−２へ送信される（ステップＳ７）。そして、ステップＳ４にて、更新要求信号に応じて加入者情報記憶部２０６に登録されている加入者情報が情報管理部２０７によって更新される。
【００６１】
また、当該更新要求信号がＤｉａｍｅｔｅｒ信号を用いて送信されてきたと判断された場合、情報管理部２０７からＩＰ網インタフェース部２０１を介してＳＬＦ１０３−１，１０３−２へエラー信号が送信される（ステップＳ８）。このエラー信号は、送信されてきた更新要求信号に対して、更新の処理がＨＳＳ１０２−１にてできない旨を示すものであれば良い。例えば、リダイレクトの信号や、独自の信号を用いるものであっても良い。また、ＳＬＦ１０３−１，１０３−２に対して、当該更新要求信号を「Ｂ」系であるＨＳＳ１０２−２へ送信するように促す指示を含むものであっても良い。
【００６２】
次に、ＳＴＰ１０４−１，１０４−２から更新系の切り替え指示を受けた場合のＨＳＳ１０２−１，１０２−２の処理について説明する。
【００６３】
図５は、更新系の切り替え指示を受けた場合のＨＳＳ１０２−１，１０２−２の更新系の切り替えの処理を説明するためのシーケンス図である。
【００６４】
まず、ＨＳＳ１０２−１にてＳＴＰ１０４−１，１０４−２から更新系切り替えが指示されると（ステップＳ１１）、情報管理部２０７によって更新系情報記憶部２０６に記憶されている系情報が切り替えられる（ステップＳ１２）。
【００６５】
ここで、ＳＴＰ１０４−１，１０４−２からＨＳＳ１０２−１へ更新系切り替えを指示するには、ＭＡＰ信号に更新系の切り替えの指示を示す情報を含めて、当該ＭＡＰ信号がＳＴＰ１０４−１，１０４−２からＨＳＳ１０２−１へ送信されるものであっても良い。また、あらかじめ設定された更新系の切り替えの指示を示す更新系切り替え指示信号がＳＴＰ１０４−１，１０４−２からＨＳＳ１０２−１へ送信されるものであっても良い。この更新系切り替え指示には、更新系を切り替えるＭＩＮ番号帯の情報が含まれている。また、ＭＩＮ番号帯とともに更新系情報が含まれているものであっても良い。また、更新系情報には、どちらの系からどちらの系へ更新するのかを示す情報が含まれているものであっても良い。
【００６６】
そして、ＳＴＰ１０４−１，１０４−２から送信された更新系切り替え指示が、回線交換網インタフェース部２０２にて受信され、情報管理部２０７によって更新系情報記憶部２０６に記憶されている更新系が切り替えられる。例えば、ＭＩＮ番号帯が「１０００１」の更新系が「Ｂ」系である場合、更新系が「Ａ」系に切り替えられる。
【００６７】
その後、情報管理部２０７から他系インタフェース部２０４を介して他系であるＨＳＳ１０２−２へ更新系切り替え要求信号が送信される（ステップＳ１３）。この、更新系切り替え要求信号は、ＨＳＳ１０２−２の更新系情報記憶部２０６に記憶されている更新系を切り替える要求であることがＨＳＳ１０２−２にて認識できる信号である。また、この更新系切り替え要求信号には、ＨＳＳ１０２−１にて更新系が切り替えられたＭＩＮ番号帯を示す情報が含まれている。また、ＭＩＮ番号帯とともに更新系情報が含まれているものであっても良い。また、更新系情報には、どちらの系からどちらの系へ更新するのかを示す情報が含まれているものであっても良い。
【００６８】
すると、ＨＳＳ１０２−２の情報管理部２０７によって更新系情報記憶部２０６に記憶されている系情報が切り替えられる（ステップＳ１４）。具体的には、ＨＳＳ１０２−１から送信された更新系切り替え要求信号が、ＨＳＳ１０２−２の他系インタフェース部２０４にて受信され、ＨＳＳ１０２−２の情報管理部２０７によって更新系情報記憶部２０６に記憶されている更新系が切り替えられる。例えば、ＭＩＮ番号帯が「１０００１」の更新系が「Ｂ」系である場合、更新系が「Ａ」系に切り替えられる。
【００６９】
なお、更新系切り替えは、ＳＴＰ１０４−１，１０４−２から指示されるものではなく、保守装置から指示されるものであっても良い。この場合、保守装置から送信された更新系切り替え指示信号が保守インタフェース部２０３にて受信され、情報管理部２０７によって上述した処理が行われる。
【００７０】
このように、ＨＳＳ１０２−１にて更新系の切り替え指示を受けた場合、自系であるＨＳＳ１０２−１の更新系情報記憶部２０６に記憶されている更新系が切り替えられる。それとともに、他系であるＨＳＳ１０２−２へＨＳＳ１０２−２の更新系情報記憶部２０６に記憶されている更新系を切り替える指示が行われる。そして、ＨＳＳ１０２−２にてＨＳＳ１０２−２の更新系情報記憶部２０６に記憶されている更新系が切り替えられる。これにより、ＨＳＳ１０２−１とＨＳＳ１０２−２との間で、それぞれの更新系情報記憶部２０６に記憶されている更新系情報を一致させることができる。
【００７１】
図６は、ＨＳＳ１０２−１が閉塞の必要性を検出した場合の更新系の切り替えの処理を説明するためのシーケンス図である。
【００７２】
ＨＳＳ１０２−１にて閉塞の必要性が検出されると（ステップＳ２１）、ＨＳＳ１０２−１からＳＬＦ１０３−１，１０３−２へＨＳＳ１０２−１の閉塞が通知される（ステップＳ２２）。ここで、ＨＳＳ１０２−１における閉塞の必要性の検出は、ＨＳＳ１０２−１にて加入者情報が更新できなくなったことを検出するものであれば良い。例えば、情報管理部２０７から加入者情報記憶部２０５または更新系情報記憶部２０６へのアクセスができなくなったことを検出するものであっても良い。つまり、一般的に行われている障害検出機能を用いて、加入者情報の更新の処理に関わる部分に障害が発生したことを検出するものであっても良い。また、ＨＳＳ１０２−１からＳＬＦ１０３−１，１０３−２への閉塞の通知は、ＨＳＳ１０２−１における加入者情報の更新ができなくなったことをＳＬＦ１０３−１，１０３−２にて認識できる信号がＨＳＳ１０２−１から送信されるものであれば良い。例えば、ＲＦＣ３５８８にて規定されているＤｉａｍｅｔｅｒ信号のリンク断を示す信号ＤＰＲであっても良い。
【００７３】
また、ＨＳＳ１０２−１からＳＴＰ１０４−１，１０４−２へＨＳＳ１０２−１の閉塞が通知される（ステップＳ２３）。ここで、ＨＳＳ１０２−１からＳＴＰ１０４−１，１０４−２への閉塞の通知は、ＨＳＳ１０２−１における加入者情報の更新ができなくなったことをＳＴＰ１０４−１，１０４−２にて認識できる信号がＨＳＳ１０２−１から送信されるものであれば良い。例えば、Ｎｏ．７のプロトコルにて規定されている送信不許可を示す信号ＳＳＰであっても良い。
【００７４】
また、ＨＳＳ１０２−１からＨＳＳ１０２−２へＨＳＳ１０２−１の閉塞が通知される（ステップＳ２４）。ここで、ＨＳＳ１０２−１からＨＳＳ１０２−２への閉塞の通知は、ＨＳＳ１０２−１における加入者情報の更新ができなくなったことをＨＳＳ１０２−２にて認識できる信号がＨＳＳ１０２−１から送信されるものであれば良い。
【００７５】
すると、ＨＳＳ１０２−２にて、ＨＳＳ１０２−２の情報管理部２０７によって更新系情報記憶部２０６に記憶されている系情報が切り替えられる（ステップＳ２５）。具体的には、ＨＳＳ１０２−１から送信された閉塞の通知を示す信号が、ＨＳＳ１０２−２の他系インタフェース部２０４にて受信され、ＨＳＳ１０２−２の情報管理部２０７によって更新系情報記憶部２０６に記憶されている更新系が切り替えられる。このとき、更新系情報記憶部２０６に記憶されている更新系がすべて「Ｂ」系に切り替えられる。
【００７６】
また、ＨＳＳ１０２−１の情報管理部２０７から更新系情報記憶部２０６へのアクセスが可能な状態である場合、ＨＳＳ１０２−１の情報管理部２０７によって更新系情報記憶部２０６に記憶されている更新系が切り替えられる。このとき、更新系情報記憶部２０６に記憶されている更新系がすべて「Ｂ」系に切り替えられる。
【００７７】
このように、ＨＳＳ１０２−１にて閉塞の必要性が検出された場合、ＳＬＦ１０３−１，１０３−２およびＳＴＰ１０４−１，１０４−２へＨＳＳ１０２−１の閉塞が通知される。それとともに、他系であるＨＳＳ１０２−２へＨＳＳ１０２−１の閉塞が通知される。そして、ＨＳＳ１０２−２にてＨＳＳ１０２−２の更新系情報記憶部２０６に記憶されている更新系がすべてＨＳＳ１０２−２の系へ切り替えられる。これにより、閉塞している系であるＨＳＳ１０２−１に対してＳＬＦ１０３−１，１０３−２およびＳＴＰ１０４−１，１０４−２から加入者情報の更新を要求されることを防ぐことができる。
【００７８】
また、ＨＳＳ１０２−１からＳＬＦ１０３−１，１０３−２へＨＳＳ１０２−１の閉塞を通知ができない場合、ＳＬＦ１０３−１，１０３−２から加入者情報の更新の要求がある可能性がある。しかし、ＳＬＦ１０３−１，１０３−２とＨＳＳ１０２−１との間にてＤｉａｍｅｔｅｒセッションを張るために、ＳＬＦ１０３−１，１０３−２からＨＳＳ１０２−１へ定期的な信号（例えば、ＣＥＲ：Ｃａｐａｂｉｌｉｔｙ  Ｅｘｃｈａｎｇｅ  Ｒｅｑｕｅｓｔ）が送信され、その応答信号（例えば、ＣＥＡ：Ｃａｐａｂｉｌｉｔｙ  Ｅｘｃｈａｎｇｅ  Ａｎｓｗｅｒ）がＨＳＳ１０２−１からＳＬＦ１０３−１，１０３−２へ送信されないことにより、ＨＳＳ１０２−１にて加入者情報の更新ができないことをＳＬＦ１０３−１，１０３−２にて認識することができる。
【００７９】
また、ＨＳＳ１０２−１からＳＴＰ１０４−１，１０４−２へＨＳＳ１０２−１の閉塞を通知ができない場合、ＳＴＰ１０４−１，１０４−２から加入者情報の更新の要求がある可能性がある。その場合は、ＨＳＳ１０２−１から上述したエラー信号が送信されることにより、ＨＳＳ１０２−１にて加入者情報の更新ができないことをＳＴＰ１０４−１，１０４−２にて認識することができる。
【００８０】
以下に、ＨＳＳ１０２−１の閉塞後、閉塞が解除された場合の切り戻し方法について説明する。
【００８１】
図７は、ＨＳＳ１０２−１の閉塞後、閉塞が解除された場合の切り戻し方法を説明するためのシーケンス図である。
【００８２】
閉塞中であるＨＳＳ１０２−１にて閉塞解除コマンドが受信されると（ステップＳ３１）、ＳＬＦ１０３−１，１０３−２から定期的に送信されているＤｉａｍｅｔｅｒセッションを張るための信号により、ＳＬＦ１０３−１，１０３−２とＨＳＳ１０２−１との間で自動的にＤｉａｍｅｔｅｒセッションが確立される（ステップＳ３２）。ここで、閉塞中であるＨＳＳ１０２−１にて受信される閉塞解除コマンドは、保守装置から送信され、保守インタフェース部２０３を介して情報管理部２０７およびＩＰ網インタフェース部２０１にて認識されるものであっても良い。ＩＰ網インタフェース部２０１にて閉塞解除コマンドが認識されると、Ｄｉａｍｅｔｅｒセッションを張るための信号（例えば、ＣＥＲ）の応答信号（例えば、ＣＥＡ）がＳＬＦ１０３−１，１０３−２へ送信される。これにより、ＳＬＦ１０３−１，１０３−２とＨＳＳ１０２−１との間で自動的にＤｉａｍｅｔｅｒセッションが確立されるものであっても良い。
【００８３】
その後、ＨＳＳ１０２−１にて切り戻しコマンドを受信すると（ステップＳ３３）、ＨＳＳ１０２−１の回線交換網インタフェース部２０２からＳＴＰ１０４−１，１０４−２へ切り戻し通知信号が送信される（ステップＳ３４）。ここで、ＨＳＳ１０２−１にて受信される切り戻しコマンドは、保守装置から送信され、保守インタフェース部２０３を介して情報管理部２０７にて認識されるものであっても良い。また、回線交換網インタフェース部２０２からＳＴＰ１０４−１，１０４−２へ送信される切り戻し通知信号は、ＨＳＳ１０２−１の閉塞が解除されたことをＳＴＰ１０４−１，１０４−２にて認識することができる信号であれば良い。
【００８４】
また、ＨＳＳ１０２−１の他系インタフェース部２０４から他系であるＨＳＳ１０２−２へ切り戻し通知信号が送信される（ステップＳ３５）。ここで、他系インタフェース部２０４からへ送信される切り戻し通知信号は、ＨＳＳ１０２−２の更新系情報記憶部２０６に記憶されている更新系情報を初期値（デフォルト値）に戻す要求であることをＨＳＳ１０２−２にて認識することができる信号であれば良い。
【００８５】
すると、ＨＳＳ１０２−２の情報管理部２０７によって、ＨＳＳ１０２−２の更新系情報記憶部２０６に記憶されている更新系情報が初期値（デフォルト値）に戻される（ステップＳ３６）。更新系情報が初期値ではなく、保守装置から設定された値に更新されるものであっても良い。例えば、ＨＳＳ１０２−１の閉塞中にはＨＳＳ１０２−２の更新系情報記憶部２０６に記憶されている更新系がすべて「Ｂ」系になっているが、その更新系が情報管理部２０７によって初期値に戻される。
【００８６】
また、ＨＳＳ１０２−１の更新系情報記憶部２０６に記憶されている更新系が、ＨＳＳ１０２−１の閉塞によりすべて「Ｂ」系になっている場合、その更新系が情報管理部２０７によって初期値に戻される（ステップＳ３７）。
【００８７】
以上により、２つの系に二重化された装置において、互いに異種であるネットワークからそれぞれ異なる系に対して加入者情報の更新が要求された場合であっても、各装置に登録された情報に互いに差分が生じることを防止することができる。
【００８８】
なお、上述したＨＳＳ１０２−１，１０２−２の処理は、目的に応じて作製された論理回路で行うようにしても良い。また、処理内容を記述したプログラムをＨＳＳ１０２−１，１０２−２にて読取可能な記録媒体に記録し、この記録媒体に記録されたプログラムをＨＳＳ１０２−１，１０２−２に読み込ませ、実行するものであっても良い。ＨＳＳ１０２−１，１０２−２にて読取可能な記録媒体とは、フロッピーディスク（登録商標）、光磁気ディスク、ＤＶＤ、ＣＤなどの移設可能な記録媒体の他、ＨＳＳ１０２−１，１０２−２に内蔵されたＲＯＭ、ＲＡＭ等のメモリやＨＤＤ等を指す。この記録媒体に記録されたプログラムは、ＨＳＳ１０２−１，１０２−２内のＣＰＵ（本形態の場合、情報管理部２０７）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【図面の簡単な説明】
【００８９】
【図１】本発明の情報通信システムの実施の一形態を示す図である。
【図２】図１に示したＨＳＳの内部構成の一例を示す図である。
【図３】図２に示した更新系情報記憶部に記憶された更新系情報の一例を示す図である。
【図４】本形態における加入者情報管理方法を説明するためのフローチャートである。
【図５】更新系の切り替え指示を受けた場合のＨＳＳの更新系の切り替えの処理を説明するためのシーケンス図である。
【図６】ＨＳＳが閉塞の必要性を検出した場合の更新系の切り替えの処理を説明するためのシーケンス図である。
【図７】ＨＳＳの閉塞後、閉塞が解除された場合の切り戻し方法を説明するためのシーケンス図である。
【図８】加入者端末が回線交換網とＩＰ網とを介して通信を行う情報通信システムの一例を示す図である。
【図９】加入者端末が回線交換網とＩＰ網とを介して通信を行う情報通信システムの一例を示す図である。
【図１０】図８および図９に示したＨＳＳ間における同期処理の一例を示す図である。
【図１１】図８および図９に示したＨＳＳ間における同期処理の他の例を示す図である。
【符号の説明】
【００９０】
１０１    加入者端末
１０２−１，１０２−２    ＨＳＳ
１０３−１，１０３−２    ＳＬＦ
１０４−１，１０４−２    ＳＴＰ
２０１    ＩＰ網インタフェース部
２０２    回線交換網インタフェース部
２０３    保守インタフェース部
２０４    他系インタフェース部
２０５    加入者情報記憶部
２０６    更新系情報記憶部
２０７    情報管理部
【図１】
0005125757.tif 000002
【図２】
0005125757.tif 000003
【図３】
0005125757.tif 000004
【図４】
0005125757.tif 000005
【図５】
0005125757.tif 000006
【図６】
0005125757.tif 000007
【図７】
0005125757.tif 000008
【図８】
0005125757.tif 000009
【図９】
0005125757.tif 000010
【図１０】
0005125757.tif 000011
【図１１】
0005125757.tif 000012